(57)【要約】【課題】  従来考えられている水洗トイレ異物詰まり除去挟持具は、Ｕ字の様な曲がりくねった配管をスムーズに奥まで進むことは困難という問題があった。【解決手段】  本発明は、水洗トイレ異物詰まり除去挟持具の先端の腕を三本以上とし、腕の先をＬ字に折り曲げ、腕をつぼめた時異物に対しての挟持力を強力にしたものである。また、三本以上の腕の折り曲げ部分に誘導体を取り付ける事により、水洗トイレ配管内をスムーズに進行できる様にしたものである。なお、三本以上の腕には、常に開こうとする力を弾性体により働かせ、曲がりくねった配管を進行する上での進路誘導の力とし、ますますスムーズな配管内の進行ができる挟持具である。【選択図】図１
2006102461.tif 000002
【特許請求の範囲】
【請求項１】
Ｌ字型の三本以上の腕の挟持部をそなえ、それぞれのＬ字部に進行方向を誘導する誘導体をもうけ、また三本以上の挟持腕に進行方向に反抗する弾性体を取り付けることにより常に腕が開こうとする力が加わるようにした事を特徴とする先端部を有する水洗トイレ配管内異物詰まり除去挟持具。
【発明の詳細な説明】
【技術分野】
【０００１】  本発明は、水洗トイレ配管内に尿取りパットなど糞便以外の物を流し詰まらせた時に、スムーズ且つ確実に取り除く事ができる挟持具である。
【背景技術】
【０００２】  現在、老人施設などでは、水洗トイレに利用者が尿取りパットを落としてしまい配管内に詰まらせてしまう事が往々にしてある。対策方法で現在商品化されている物としてはポンピング式のものはあるが、それでは詰まりは解消されず、詰まり物が少しずつ奥に進むか停滞するに過ぎない。それによる水洗トイレに詰まった異物を除去することは困難である。【０００３】  また、二本の腕のみで挟み取るという公開特許公報はある。（特許文献１参照）
【特許文献１】特許出願公開番号  特開２０００−１０７１１３（Ｐ２０００−１０７１１３Ａ）
【０００４】  しかし、上記（特許文献１）の挟持具では、ひとつの配管のカーブは進めても次のカーブからはスムーズに配管内を進むことは困難といえる。また、スムーズな奥への進行は期待できない。【０００５】  また、上記（特許文献１）の二本の挟持部では、挟持能力が弱く確実に異物を挟持し除去することが難しい。
【発明の開示】
【発明が解決しようとする課題】
【０００６】  本発明は、上記にある挟持具の配管内の奥への進行困難また挟持力が弱いという課題を解決しようとするものであり、挟持具が配管内をスムーズに進行でき、また先端の挟持部の挟持力が強力な水洗トイレ異物詰まり除去挟持具を実現することを目的とするものである。
【課題を解決するための手段】
【０００７】  本発明は上記目的を達成するためＬ字型の挟持腕を三本以上の腕とし、各挟持腕のＬ字部分に誘導体を付けた。また、三本以上の挟持腕に進行方向に反抗する弾性体を取り付ける事により常に腕が開こうとする力が加わるようにしたものである。【０００８】  上記第１の課題解決手段による作用は次の通りである。配管内を進行する時、挟持腕は半分つぼませた状態にする。三本以上の挟持腕に付けられた誘導体は常に水洗トイレ配管の内面を転がるようになる。配管がＵ字のように曲がった部分にくると、外側の腕は内側に押され腕はつぼむ状態となり、次に挟持腕に付けられた弾性体により元に戻ろうとする力が働く。その力が挟持具の進む方向を誘導することになる。【０００９】  また、第２の課題解決手段による作用は、挟持腕を３本以上としＬ字に曲がった挟持腕で、詰まった異物まで進行し到達した時に手元の取っ手のロックを一度はずし挟持腕を開き異物に押し当て、取っ手を引き中空管の中を通るワイヤーをもってその挟持部を引き挟持腕をつぼませ確実に異物を挟持させる。
【発明を実施するための最良の形態】以下、本発明の実施の形態を図１〜図６に基づいて説明する。【００１０】  図１，２において、１は配管内に詰まった異物を掴み取る三本以上のＬ字に曲がった挟持腕で、２は１のＬ字部に付けられた例えばローラーの誘導体、３は１を常に開こうとする力を加える例えば板バネの弾性体、４は１、２、３を支える挟持部台、５は１、３を４に固定する止めネジ、６は２の誘導体の軸棒である。【００１１】  図３において、７は図１，２の挟持部を支える挟持部支持台、８は挟持部と図４の挟持ハンドルを接続する挟持部接合部、９は８の挟持部接合部と１２の挟持ハンドルをつなぎ１２を引いたとき、１の挟持腕をつぼませるワイヤー、１０は自由に折り曲がるシャフト。【００１２】  図４，５において、１１は本体全体を支えるハンドル、１２は配管内で異物まで届いたときに異物を挟持させるハンドルで引けば挟持部がつぼむようになる。挟持部は通常開いた状態であり、１３はその状態を保持するためのバネである。１５は異物を挟持したとき挟持した状態を固定するための挟持ハンドルロックツメであり、１４がそこに掛る棒である。【００１３】  以下、上記構造で配管内をスムーズに進行できる働きを図６にて説明する。配管内進行時、三本以上の挟持腕は１２の挟持ハンドルを半分引き挟持腕は半開き状態とする。誘導体２は配管内面を転がるようにスムーズに進行させる働きを担う。図のようにＵ字にかかると、配管内外側を走行する挟持腕１はカーブに沿って内側へ押し出される。その時、弾性体３が挟持腕１を開こうとする力が働き、その力により挟持部全体を進路方向に誘導させる力が働く。この力により挟持具を曲がりくねった配管内をスムーズに進行させることが出来る。【００１４】  挟持腕１がつぼむ作用は次の通りである。挟持腕１は挟持部支持台７の縁と接触している。挟持部台４と、挟持ハンドル１２からワイヤー９でつながっている挟持部接合部８はネジにより接合される。挟持ハンドル１２を引くことにより先端挟持部全体を挟持部支持台７の中へ引き込むこととなる。その際、挟持部支持台７の縁が挟持腕１を押すか、または、挟持腕１が挟持部支持台７の縁に引っかかり挟持腕１は内側につぼむこととなる。【００１５】  尚、実施例の四本腕の挟持腕としたが、確実に掴み取ることができれば三本以上の挟持腕のいずれかを選択することができる。
【発明の効果】
【００１６】  上述したように、Ｌ字型の三本以上の挟持腕のＬ字部に誘導体を取り付け、腕を常に開く力が加わるよう弾性体を取り付ける事により、曲がりくねった配管内をスムーズに奥まで進むことが出来るという効果を発揮するものである。
【００１７】  また、挟持腕をＬ字型にして腕を三本以上とすることにより掴み取る力を強く確実にしたものである。
【図面の簡単な説明】
【００１８】
【図１】  挟持部の開いた状態で真上から見た図
【図２】  挟持部のみで真横から見た図
【図３】  挟持部を支える挟持部支持台とシャフトと部分の断面図
【図４】  挟持具のハンドル部分
【図５】  挟持具のハンドル部分の側面
【図６】  配管内をスムーズに進む理由を本体に掛る力をもって説明した図
【図７】  本発明の挟持部を先端につけた挟持具の全体図
【符号の説明】
【００１８】  １  挟持腕
２  誘導体
３  弾性体
【図１】
2006102461.tif 000003
【図２】
2006102461.tif 000004
【図３】
2006102461.tif 000005
【図４】
2006102461.tif 000006
【図５】
2006102461.tif 000007
【図６】
2006102461.tif 000008
【図７】
2006102461.tif 000009